(57)【要約】【課題】眼圧検査装置において、眼球に少ない負担で精度よく眼圧を検査することである。【解決手段】眼圧検査装置１０のプローブペンの先端部分には、振動子３２と振動検出センサ３４とが積層された探触素子３０が保持され、その先に内部が振動伝播媒体２６で満たされた弾性キャップ２０が取り付けられる。振動子３２からは振動が振動伝播媒体２６を介して眼球１８に入射され、眼球からの反射波は振動検出センサ３４で検出される。振動子３２と振動検出センサ３４は、眼圧算出部５０内部の増幅器と位相シフト回路とともに、振動子３２、振動検出センサ３４と眼球を含む閉ループを形成し、その共振状態を維持しつつ、眼圧が変化することで生ずる周波数変化を検出して眼圧に変換する。振動子からパルス波を眼球に入射し、入射パルス波と反射波の周波数成分分析に基づいて眼圧を算出することもできる。【選択図】        図２
2004267299.tif 000002
【特許請求の範囲】
【請求項１】
先端に眼球に接触される弾性キャップを有し探触素子を保持するプローブペンと、探触素子の入出力信号に基づいて眼圧を求める眼圧算出部とを含む眼圧検査装置であって、
プローブペンは、
一方端に弾性薄膜からなる眼球接触部を有し、内部に振動伝播液体が充填される筒状の弾性キャップと、
弾性キャップの筒状他方端に設けられ、振動伝播液体を介して眼球に振動を入射する振動子と、振動伝播液体を介して眼球からの反射波を検出する振動検出センサとを有する探触素子と、
を備え、
眼圧算出部は、
振動検出センサの信号出力端に入力端が接続された増幅器と、
増幅器の出力端と振動子の信号入力端との間に設けられ、振動子への入力波形と振動検出センサからの出力波形との間に位相差が生じるときは、振動の周波数を変化させることで前記位相差をゼロにシフトさせる位相シフト回路と、
位相差をゼロにシフトさせるための周波数変化量を検出する周波数変化量検出手段と、
を備え、振動伝播液体を介した探触素子と眼球との間の閉ループの共振を維持しつつ、眼球の圧力に応じて生ずる周波数変化量から眼球の圧力を求めることを特徴とする眼圧検査装置。
【請求項２】
請求項１に記載の眼圧検査装置において、
眼球接触プローブの眼球接触部と探触素子との間の長さは、眼球に入射される振動の半波長の略整数倍であることを特徴とする眼圧検査装置。
【請求項３】
請求項１に記載の眼圧検査装置において、
振動伝播液体は、脱気された水であることを特徴とする眼圧検査装置。
【請求項４】
先端に眼球に接触される弾性キャップを有し探触素子を保持するプローブペンと、探触素子の入出力信号に基づいて眼圧を求める眼圧算出部とを含む眼圧検査装置であって、
プローブペンは、
一方端に弾性薄膜からなる眼球接触部を有し、内部に振動伝播液体が充填される筒状の弾性キャップと、
弾性キャップの筒状他方端に設けられ、振動伝播液体を介して眼球にパルス波を入射する振動子と、振動伝播液体を介して眼球からの反射波を検出する振動検出センサとを有する探触素子と、
を備え、
眼圧算出部は、
振動子のパルス波入射端に接続され、入射されるパルス波の周波数成分分析を行い、各周波数について、その正弦波成分と余弦波成分とから、各周波数の正弦波成分に対する位相を求め、入射波について周波数に対する位相のスペクトル分布を求める入射波周波数成分分析手段と、
振動検出センサの反射波検出端に接続され、反射波の周波数成分分析を行なって、各周波数について、その正弦波成分と余弦波成分とから、各周波数の正弦波成分に対する位相を求め、反射波について周波数に対する位相のスペクトル分布を求める反射波周波数成分分析手段と、
入射波の位相スペクトル分布と反射波の位相スペクトル分布とを比較し、それぞれの周波数ｆｘについて、その入射波の位相と反射波の位相の差である位相差θｘを求める位相差算出手段と、
入射波の周波数に対する反射波の振幅ゲイン及び位相差の関係を表す基準伝達特性曲線を用い、周波数ｆｘにおける位相差θｘについて、周波数を変化させることで位相差θｘをゼロにシフトさせるための周波数変化量ｄｆを算出する周波数変化量検出手段と、
を備え、算出されたｄｆから眼球の圧力を求めることを特徴とする眼圧検査装置。
【請求項５】
請求項４に記載の眼圧検査装置において、
周波数変化量検出手段は、位相差がもっとも大きい最大位相差周波数について、その最大位相差をゼロにシフトさせるための周波数変化量を算出することを特徴とする眼圧検査装置。
【発明の詳細な説明】
【０００１】
【発明の属する技術分野】
本発明は、眼圧検査装置に係り、特に眼球に接触して眼圧を測定する眼圧検査装置に関する。
【０００２】
【従来の技術】
眼圧を測定するのにいわゆるトノメータが用いられる。すなわち、眼球にエアーを吹き付け、そのエアー圧により眼球が歪む様子を光学的に測定し、その歪の大小により眼圧を測定する。
【０００３】
【発明が解決しようとする課題】
いわゆるトノメータは、眼球に非接触で眼圧を簡便に測定できるが、精度がよくない。しかし、眼球に負担を与えずに精度よく眼圧を検査する適当な手段がないのが現状である。
【０００４】
本発明の目的は、かかる従来技術の課題を解決し、眼球に少ない負担で精度よく眼圧を検査する眼圧検査装置を提供することである。
【０００５】
【課題を解決するための手段】
上記目的を達成するため、本発明に係る眼圧検査装置は、先端に眼球に接触される弾性キャップを有し探触素子を保持するプローブペンと、探触素子の入出力信号に基づいて眼圧を求める眼圧算出部とを含む眼圧検査装置であって、プローブペンは、一方端に弾性薄膜からなる眼球接触部を備え、内部に振動伝播液体が充填される筒状の弾性キャップと、弾性キャップの筒状他方端に設けられ、振動伝播液体を介して眼球に振動を入射する振動子と、振動伝播液体を介して眼球からの反射波を検出する振動検出センサとを有する探触素子と、を備え、眼圧算出部は、振動検出センサの信号出力端に入力端が接続された増幅器と、増幅器の出力端と振動子の信号入力端との間に設けられ、振動子への入力波形と振動検出センサからの出力波形との間に位相差が生じるときは、振動の周波数を変化させることで前記位相差をゼロにシフトさせる位相シフト回路と、位相差をゼロにシフトさせるための周波数変化量を検出する周波数変化量検出手段と、を備え、振動伝播液体を介した探触素子と眼球との間の閉ループの共振を維持しつつ、眼球の圧力に応じて生ずる周波数変化量から眼球の圧力を求めることを特徴とする。
【０００６】
上記構成により、プローブペンは、一方端に弾性薄膜からなる眼球接触部を有し、内部に振動伝播液体が充填される筒状の弾性キャップを備える眼球接触プローブを用いる。眼球には弾性薄膜で接触するので、測定に際し眼球に与える負担を少なくできる。そして、探触素子から振動伝播液体を介して眼球に振動を入射し、その反射波を検出する。眼球に入射された振動は、眼圧に応じてその波形の周波数と位相を変化させて反射波として戻ってくる。したがって、入射波と反射波との比較から眼圧を検査することができる。上記構成において、入射波と反射波の比較は、位相差をゼロにシフトさせるための周波数変化量で捉える。周波数測定は、精度の高い測定器を用いることができるので、眼圧を精度よく測定できる。
【０００７】
また、本発明に係る眼圧検査装置において、眼球接触プローブの眼球接触部と探触素子との間の長さは、眼球に入射される振動の半波長の略整数倍であることが好ましい。上記構成により、探触素子と眼球の間を振動が１往復する長さをその振動の波長の略整数倍とできる。したがって、眼球へ振動を効率よく入射でき、反射波を効率よく検出できる。
【０００８】
また、振動伝播液体は、脱気された水であることが望ましい。空気は振動を減衰させる特性を有する。上記構成により、眼球へ振動を効率よく入射でき、反射波を効率よく検出できる。
【０００９】
また、本発明に係る眼圧検査装置は、先端に眼球に接触される弾性キャップを有し探触素子を保持するプローブペンと、探触素子の入出力信号に基づいて眼圧を求める眼圧算出部とを含む眼圧検査装置であって、プローブペンは、一方端に弾性薄膜からなる眼球接触部を備え、内部に振動伝播液体が充填される筒状の弾性キャップと、弾性キャップの筒状他方端に設けられ、振動伝播液体を介して眼球にパルス波を入射する振動子と、振動伝播液体を介して眼球からの反射波を検出する振動検出センサとを有する探触素子と、を備え、眼圧算出部は、入射されるパルス波の周波数成分分析を行い、各周波数について、その正弦波成分と余弦波成分とから、各周波数の正弦波成分に対する位相を求め、入射波について周波数に対する位相のスペクトル分布を求める入射波周波数成分分析手段と、反射波の周波数成分分析を行なって、各周波数について、その正弦波成分と余弦波成分とから、各周波数の正弦波成分に対する位相を求め、反射波について周波数に対する位相のスペクトル分布を求める反射波周波数成分分析手段と、入射波の位相スペクトル分布と反射波の位相スペクトル分布とを比較し、それぞれの周波数ｆｘについて、その入射波の位相と反射波の位相の差である位相差θｘを求める位相差算出手段と、入射波の周波数に対する反射波の振幅ゲイン及び位相差の関係を表す基準伝達特性曲線を用い、周波数ｆｘにおける位相差θｘについて、周波数を変化させることで位相差θｘをゼロにシフトさせるための周波数変化量ｄｆを算出する周波数変化量検出手段と、を備え、算出されたｄｆから眼球の圧力を求めることを特徴とする。
【００１０】
上記構成により、プローブペンは、一方端に弾性薄膜からなる眼球接触部を有し、内部に振動伝播液体が充填される筒状の弾性キャップを備える眼球接触プローブを用いる。眼球には弾性薄膜で接触するので、測定に際し眼球に与える負担を少なくできる。そして、探触素子から振動伝播液体を介して眼球にパルス波を入射し、その反射波を検出する。眼球に入射されたパルス波は、眼圧に応じてその周波数成分を変化させて反射波として戻ってくる。したがって、入射パルス波の周波数成分分析の内容と、反射波の周波数成分分析の内容との比較から眼圧を検査することができる。上記構成において、入射パルス波と反射波との間における周波数成分の変化の検出は、各周波数成分における正弦波成分と余弦波成分の割合で定まる位相について入射パルス波と反射波との間で生ずる変化、すなわち位相差を用いる。そして、生ずる位相差の程度を、基準伝達特性曲線を介して位相差をゼロにする周波数変化量に変換する。周波数測定は、精度の高い測定器を用いることができるので、眼圧を精度よく測定できる。
【００１１】
また、パルス波が探触素子から振動伝播媒体を経由して眼球に到達し、再び同じ振動伝播媒体を逆向きに進んで探触素子に向けて反射されてくるので、振動伝播媒体を通過するときにパルス波が受けるその周波数成分の変化は、振動伝達媒体を正方向に進行するときの効果と逆方向に戻ってくる効果とで打ち消されように働く。このようにパルス波を用いることで、振動伝達媒体を経由することによる影響をより少なくして、眼圧による周波数成分の変化を検出することができる。
【００１２】
また、周波数変化量検出手段は、位相差がもっとも大きい最大位相差周波数について、その最大位相差をゼロにシフトさせるための周波数変化量を算出することが好ましい。
【００１３】
【発明の実施の形態】
以下に図面を用いて本発明に係る実施の形態につき詳細に説明する。図１は、眼圧検査装置１０の構成図である。眼圧検査装置１０は、ペンシル型のプローブペン１２と、信号ケーブル１４と、本体部１６を含んで構成される。プローブペン１２の先端には眼球に接触される弾性キャップ２０が設けられる。本体部１６は、プローブペン１２に設けられる探触素子の入出力信号から眼圧を算出し表示する電子回路及びディスプレイを有する。電子回路等を小型に集積化し、小型ディスプレイ及び小型電源素子を用いて、本体部をプローブペン１２と一体化してもよい。
【００１４】
図２は、眼圧検査装置１０におけるプローブペンの先端部分の模式図である。プローブペンの先端部分には探触素子３０が保持され、その先に弾性キャップ２０が取り付けられている。探触素子３０の入出力信号線３６，３８は、本体部の眼圧算出部５０に導かれる。
【００１５】
弾性キャップ２０は、筒２２と、筒２２の一方端に接着等で取り付けられる弾性薄膜２４を有する。弾性キャップ２０の内部には、振動伝播媒体２６としての水が満たされる。つまり弾性キャップ２０の先端の弾性薄膜２４は、弾性キャップ２０の内部に満たされた水の水圧によって膨張拡張し、なめらかな曲面を持つ。この水圧によって弾性を有する滑らかな曲面を用いて、眼球に与える負担を少なくして、プローブペンの先端を眼球１８の表面に押し当てることができる。
【００１６】
筒２２は、例えばプラスチックあるいは金属の材質を用いることができ、外径は例えば１０−２０ｍｍ程度を用いることができる。筒２２の他方端の内側には、ネジ２８が刻まれる。探触素子３０の基体部３６にもネジ３８が刻まれ、これらのネジ２８，３８のかみ合いを用いて、探触素子３０の先に弾性キャップ２０を取り付けることができる。また、これらのネジ２８，３８のかみ合い位置を調整することで、探触素子３０と弾性薄膜２４の先端までの長さＬを調整することもできる。
【００１７】
弾性薄膜２４は、例えばシリコンゴム薄膜等のプラスティック薄膜を用いることができる。膜厚は、例えば数ミクロンメートルから１００ミクロンメートル程度が好ましい。弾性薄膜２４は、平板状の薄膜を筒２２の一方端の外周に接着剤あるいはワイヤ等の縛りにより固定し、弾性キャップ２０の内部に満たされる振動伝播媒体２６である水の水圧により、外側に半球状に膨らませるようにしてもよく、またははじめから半球状外形となるように成形されたシリコンゴム薄膜等を用いてもよい。
【００１８】
振動伝播媒体２６である水は、生体組織と音響的特性が似ている液体、例えば生理食塩水等を用いることができる。振動伝播媒体２６である水は、振動伝播を減衰させる溶存気体を除去するために、真空等の脱気処理を行った脱気水を用いるのが好ましい。
【００１９】
探触素子３０は、振動子３２と、振動を検出できる振動検出センサ３４とが積層され、その積層体が基体部３６に取り付けられて保持される。積層は、振動子３２の振動方向と振動検出センサ３４の振動検出方向とをあわせ、これらの方向に積層される。上記のとおり、基体部３６の外周にはネジ３８が刻まれ、このネジ３６にはめあわされて弾性キャップ２０が取り付けられる。基体部３６は、プローブペンの軸に取り付けてもよく、プローブペンの軸自体を基体部３６としてもよい。ネジ２８，３８のピッチ方向は、探触素子３０の積層方向に合わされる。したがって、弾性キャップ２０の筒２２の軸方向と、振動子３２の振動方向及び振動検出センサ３４の振動検出方向とが合わされる。
【００２０】
振動子３２の入力端子、すなわち、振動を生じさせるために振動と同じ周波数の交流信号が入力される端子は、信号線３６を介し、眼圧算出部５０の端子５４に接続される。振動検出センサの出力端子、すなわち、検出した振動と同じ周波数の交流信号が出力される端子は、信号線３８を介し、眼圧算出部５０の端子５２に接続される。眼圧算出部５０の内部構成は、後述する。
【００２１】
振動子３２と、振動検出センサ３４は、例えば圧電素子を用い、交流信号を印加することでその交流信号の周波数で機械的な振動を生じさせる電気−機械変換機能を振動子として、振動を加えることでその振動の周波数の交流信号を生じさせる電気−機械変換機能を振動検出センサとして利用することができる。
【００２２】
図３、図４は、探触素子の構成例を示す図である。図３に示す探触素子８０は、２個の圧電素子８２，８４を直列に接続し、接続点を接地したもので、一方の圧電素子８２が入力端子からの交流信号に応じて振動する振動子として働き、他方の圧電素子８４が検出される振動に応じた交流信号を出力端子に出す振動検出センサとして働く。
【００２３】
図４に示す探触素子９０は、１個の圧電素子９２を用い、圧電素子９２における２個の圧電面のうち片方の面９４を接地し、もう片方の面に設けられる電極パターンを外側リング電極９６と、中心側円電極９８としたものである。外側リング電極９６に入力される交流信号に応じ、圧電素子の外周部分が振動するので振動子として働き、圧電素子の中央部分が検出する振動に応じた交流信号が中心側円電極９８に現れて振動検出センサとして働く。
【００２４】
図５は、眼圧算出部５０のブロック図である。眼圧算出部５０は、探触素子３０における振動子３２と信号線３６を介して接続される端子５４と、振動検出センサ３４と信号線３８を介して接続される端子５２を備える。また、眼圧算出部５０は、端子５２に入力端が接続される増幅器５６と、増幅器５６の出力端と端子５４との間に設けられ、振動子３２への入力波形と振動検出センサ３４からの出力波形に位相差が生じるときは、周波数を変化させて前記位相差をゼロにシフトする位相シフト回路５８とを備える。かかる機能を持つ位相シフト回路の内容については、特開平９−１４５６９１号公報に詳しく述べられている。
【００２５】
このような構成で、振動子３２、振動検出センサ３４と生体組織である眼球を含む閉ループの共振状態を維持しつつ、眼圧が変化することで生ずる周波数変化を、周波数変化量検出部６０で検出し、眼圧変換器６２により周波数変化を眼圧に変換する。周波数変化を眼圧に変換するには、例えば較正テーブル等を用いることができる。較正テーブルは、あらかじめわかっている圧力を弾性キャップの先端に印加し、そのときの周波数変化を得ることで作成できる。変換された眼圧信号は、ディジタル信号に変換され端子８０から出力され、本体部において必要な信号処理が行われ、ディスプレイ等に眼圧値として表示される。このようにして眼圧を定量的に、かつ精度よく得ることができる。
【００２６】
振動子３２、振動検出センサ３４と生体組織である眼球を含む閉ループの共振状態における振動の周波数は、位相シフト回路５８により周波数を変化させることができるように、振動子３２においてＱの高い固有振動数以外の周波数に選ばれるのが好ましい。例えば、振動子３２において、１次固有振動数が１ＭＨｚとすると、この周波数を避けて、４００ｋＨｚ等に設定することが好ましい。
【００２７】
振動子３２、振動検出センサ３４と生体組織である眼球を含む閉ループの共振状態を効果的に維持するには、探触素子と眼球との間の往復距離、すなわち振動伝播媒体を振動が伝播する往復長さを、振動の波長の整数倍にすることが望ましい。すなわち、図２で示す長さＬを、眼球に入射される振動の半波長の略整数倍にすることが望ましい。長さＬの調整は上記のようにネジ２８，３８のかみ合わせにより調整することが可能である。
【００２８】
図６は、他の実施の形態における眼圧検査装置１１０のプローブペンの先端部分についての模式図である。この実施の形態では、パルス波を眼球１８に入射し、眼球１８から反射してくる反射波を検出し、入射されたパルス波の周波数成分と検出された反射波の周波数成分との間の変化に基づいて眼圧を算出する。したがって、パルス波発生器１７０が新たに設けられ、眼圧算出部１５０の内容が異なるほかは、図２と同様の要素をそのまま用いることができる。図２に対応する要素には、図２に用いた符号の１００を加えた符号、例えば図２における探触素子３０に対応して図６の探触素子１３０という符号、を用いて、説明の重複を避けることとする。
【００２９】
弾性キャップ１２０は、図２の弾性キャップ２０と同様の構成のものを用いることができる。また、探触素子１３０についても図２の探触素子３０と同様の構成、例えば、図３または図４で説明した構成の探触素子を用いることができる。
【００３０】
さらに、この実施例では、探触素子１３０と弾性薄膜１２４との間の距離Ｌ’について、図２の場合に、眼球に入射される振動の半波長の整数倍が好ましいとされた要件を緩和することができる。すなわち、この実施形態では、図２の連続波に代えてパルス波が用いられるので、連続波における閉ループの共振状態の維持という概念がない。また、振動伝播媒体を通過するときにパルス波が受けるその周波数成分の変化は、入射されたパルス波が振動伝達媒体を正方向に進行するときの効果と、反射波が逆方向に戻ってくる効果とが打ち消されように働くので、振動伝播媒体の影響を受けにくいからである。
【００３１】
同様に、この実施の形態の眼圧検査装置１１０に用いられる振動伝播媒体１２６の材料は、図２において説明した振動伝播媒体２６の材料より選択の自由度が広くなる。例えば、振動伝播媒体としての水の特性についての管理、例えば生理食塩水の成分の管理、脱気度の管理等を緩和することができる。水に代わり、適当な脂肪等の材料を用いることもできる。あるいは、加圧気体を充填した弾性キャップを用いてもよい。
【００３２】
パルス波発生器１７０は、市販のパルス波発生器を用いることができる。パルス波のパルス幅は、上記のように振動子１３２の１次固有振動数が１ＭＨｚとして、１／４００ｋＨｚの数倍程度を用いるのが好ましい。あるいは、４００ｋＨｚを重畳した矩形パルスを用いてもよい。
【００３３】
パルス波発生器１７０の出力は、振動子１３２の入力端子に接続される。振動子１３２の入力端子は、信号線１３６を介して眼圧算出部１５０の端子１５４に接続されるので、眼圧算出部１５０の端子１５４には、パルス波発生器１７０の出力が入力されることになる。振動検出センサ１３４の出力端子は、信号線１３８を介して眼圧算出部１５０の端子１５２に接続される。したがって、眼圧算出部１５０には、眼球１８に入射されるパルス波と、眼球１８からの反射波とが入力されることになる。
【００３４】
図７は、眼圧算出部１５０のブロック図である。眼圧算出部１５０は、端子１５４，１５２から入力される眼球への入射波、眼球からの反射波の電気信号を適切な信号レベルに増幅する増幅器１５５ｂ，１５５ａを備え、増幅器１５５ｂ，１５５ａの各出力は周波数成分分析部１５６に入力される。
【００３５】
図７における周波数成分分析部１５６は、その入射波、反射波の周波数成分分析を行い、入射波、反射波それぞれにつき周波数に対する位相のスペクトル分布を求める機能を有する。ここで位相とは、各周波数成分における正弦波成分と余弦波成分の割合で定まる位相のことである。求められた入射波、反射波の位相スペクトル分布は、位相差算出部１５８に入力される。
【００３６】
位相差算出部１５８は、入射波の位相スペクトル分布と反射波の位相スペクトル分布とを比較し、入射波と反射波との間の周波数成分の変化を表すものとして、それぞれの周波数ｆｘについて、その入射波の位相と反射波の位相の差である位相差θｘを求めて特定する機能を有する。求められた周波数ｆｘと位相差θｘのデータは、周波数変化量検出部１６０に入力される。
【００３７】
周波数変化量検出部１６０は、入射波の周波数に対する反射波の振幅ゲイン及び位相差の関係を表す基準伝達特性曲線を用い、周波数ｆｘにおける位相差θｘについて、周波数を変化させることで位相差θｘをゼロにシフトさせるための周波数変化量ｄｆを算出する機能を有する。周波数変化量算出の機能は、位相差を補償するのに要する周波数の変化をもとめるので、いわば位相差補償演算機能ということもできる。
【００３８】
周波数ｆｘと位相差θｘのデータは、眼球の硬さ、すなわち眼圧に対応する物質特性を反映している。そのなかで、最も位相差の変化が大きい周波数ｆ０とその最大位相差θ０は、測定対象である眼球の硬さ、すなわち眼圧の特性値を特に代表しているものと考えられる。したがって、最大位相差θ０をゼロにシフトさせるための周波数変化量ｄｆを算出し、これをもって眼圧を代表する特性値とすることができる。
【００３９】
上記周波数成分分析部１５６、位相差算出部１５８（周波数位相差特定）、周波数変化量検出部１６０（位相差補償演算）のさらに詳細な内容については、特開２００２−２７２７４３号公報に述べられている。
【００４０】
眼圧変換器１６２は、周波数変化量を眼圧に変換する機能を有する。周波数変化を眼圧に変換するには、例えば較正テーブル等を用いることができる。較正テーブルは、あらかじめわかっている圧力を弾性キャップの先端に印加し、そのときの周波数変化を得ることで作成できる。変換された眼圧信号は、ディジタル信号に変換され端子１８０から出力され、本体部において必要な信号処理が行われ、ディスプレイ等に眼圧値として表示される。このようにして眼圧を定量的に、かつ精度よく得ることができる。
【００４１】
【発明の効果】
本発明に係る眼圧検査装置によれば、眼球に少ない負担で精度よく眼圧を検査することができる。
【図面の簡単な説明】
【図１】本発明に係る実施の形態における眼圧検査装置の構成図である。
【図２】本発明に係る実施の形態における眼圧検査装置のプローブペン先端部分の模式図である。
【図３】探触素子の構成例を示す図である。
【図４】探触素子の他の構成例を示す図である。
【図５】本発明に係る実施の形態における眼圧算出部のブロック図である。
【図６】他の実施の形態における眼圧検査装置のプローブペン先端部分についての模式図である。
【図７】他の実施の形態における眼圧算出部のブロック図である。
【符号の説明】
１０，１１０  眼圧検査装置、１２  プローブペン、１６  本体部、１８  眼球、２０，１２０  弾性キャップ、２４，１２４  弾性薄膜、２６，１２６  振動伝播媒体、３０，８０，９０，１３０  探触素子、３２，１３２  振動子、３４，１３４  振動検出センサ、５０，１５０  眼圧算出部、５６，１５５ａ，１５５ｂ  増幅器、５８  位相シフト回路、６０，１６０  周波数変化量検出部、６２，１６２  眼圧変換器、１５６  周波数成分分析部、１５８  位相差算出部、１７０  パルス波発生器。
【図１】
2004267299.tif 000003
【図２】
2004267299.tif 000004
【図３】
2004267299.tif 000005
【図４】
2004267299.tif 000006
【図５】
2004267299.tif 000007
【図６】
2004267299.tif 000008
【図７】
2004267299.tif 000009